(57)【要約】【課題】現場で簡便にシートを用いて燻蒸駆除が行える燻蒸駆除方法、並びに使用現場で簡便にシートを取り出して使用できるシート収納体及びシート運搬具を提供する。【解決手段】折り畳まれた状態で収納されたシートを引き延ばしながら取り出す取出口が形成された非折り曲げ式のシート収納体に、折り畳まれたシートを収納し、前記シート収納体を、折り畳まれた状態で収納されたシートを引き延ばしながら取り出す第１の取出口４０及び第２の取出口４２が形成された非折り曲げ式の肩掛けベルト２４，２６付きのシート運搬具２０に収納して運搬し、前記シートを、前記シート収納体の取出口、並びに第１の取出口４０及び第２の取出口４２から引き延ばしながら取り出して伐倒材を覆って、該伐倒材を薬剤により燻蒸処理する、燻蒸駆除方法。【選択図】図９
2015047131.tif 000002
【特許請求の範囲】
【請求項１】
折り畳まれたシートを折り曲げずに運搬し、前記シートを引き延ばして伐倒材を覆って、前記伐倒材を薬剤により燻蒸処理する、燻蒸駆除方法。
【請求項２】
折り畳まれた状態で収納されたシートを引き延ばしながら取り出す取出口が形成された非折り曲げ式のシート収納体に、折り畳まれたシートを収納して運搬し、
前記シートを前記シート収納体の取出口から引き延ばしながら取り出して伐倒材を覆って、該伐倒材を薬剤により燻蒸処理する、請求項１に記載の燻蒸駆除方法。
【請求項３】
折り畳まれた状態で収納されたシートを引き延ばしながら取り出す取出口が形成された非折り曲げ式のシート収納体に、折り畳まれたシートを収納し、
前記シート収納体を、折り畳まれた状態で収納されたシートを引き延ばしながら取り出す取出口が形成された非折り曲げ式の肩掛けベルト付きのシート運搬具に収納して運搬し、
前記シートを、前記シート収納体の取出口及び前記シート運搬具の取出口から引き延ばしながら取り出して伐倒材を覆って、該伐倒材を薬剤により燻蒸処理する、請求項１に記載の燻蒸駆除方法。
【請求項４】
前記折り畳まれたシートが、ガゼット式に折り畳まれたシートである、請求項１〜３のいずれか一項に記載の燻蒸駆除方法。
【請求項５】
折り畳まれたシートが収納される非折り曲げ式のシート収納体であって、折り畳まれた状態で収納されたシートを引き延ばしながら取り出す取出口が形成されている、シート収納体。
【請求項６】
ガゼット式に折り畳まれたシートが収納される、請求項５に記載のシート収納体。
【請求項７】
折り畳まれたシートが収納される非折り曲げ式の肩掛けベルト付きのシート運搬具であって、折り畳まれた状態で収納されたシートを引き延ばしながら取り出す取出口が形成されている、シート運搬具。
【請求項８】
折り畳まれたシートが収納された請求項５又は６に記載のシート収納体が収納される、請求項７に記載のシート運搬具。
【請求項９】
ガゼット式に折り畳まれたシートが収納される、請求項７に記載のシート運搬具。
【発明の詳細な説明】
【技術分野】
【０００１】
本発明は、燻蒸駆除方法、並びにシート収納体及びシート運搬具に関する。
【背景技術】
【０００２】
例えば、ナラ枯れ、マツ枯れ等の樹木の集団枯死の拡大を防止する対策として、枯死した樹木を伐倒し、その伐倒材をシートで覆って薬剤により燻蒸することで、害虫（マツノザイセンチュウ、カシノナガキクイムシ等。）を駆除することが行われている。燻蒸駆除に用いられるシートは、通常、大きなサイズ（例えば、幅４ｍ×長さ３０ｍ程度）の状態で処理現場まで運搬され、伐倒材を覆うのに必要なサイズに切り取りながら使用される。
【０００３】
このような、大きなサイズのシートを運搬する方法としては、例えば、シートを折り畳んだ状態で収納できるシート運搬具を用いる方法が知られている。
該シート運搬具としては、例えば、シートを収納する収納本体と、該収納本体に取り付けられた肩掛けベルトとを有し、シートを収納した状態で前記収納本体を折り曲げて背負えるようにしたシート運搬具が提案されている（例えば、特許文献１、２）。
【先行技術文献】
【特許文献】
【０００４】
【特許文献１】特開２０１０−２３８９２号公報
【特許文献２】特開２０１２−８０８４２号公報
【発明の概要】
【発明が解決しようとする課題】
【０００５】
しかし、特許文献１、２のような、収納本体を折り曲げた状態でシートを運搬するシート運搬具では、シートを使用する際に使用現場にシート運搬具を置き、収納本体を開いてからシートを取り出す必要がある。燻蒸現場等のシートの使用現場では、できるだけ簡単な作業でシートを取り出して使用できることが求められる。
【０００６】
本発明は、現場で簡便にシートを用いて燻蒸駆除が行える燻蒸駆除方法を提供する。また、使用現場で簡便にシートを取りだして使用できるシート収納体及びシート運搬具を提供する。
【課題を解決するための手段】
【０００７】
本発明の燻蒸駆除方法は、折り畳まれたシートを折り曲げずに運搬し、前記シートを引き延ばして伐倒材を覆って、前記伐倒材を薬剤により燻蒸処理する方法である。
【０００８】
また、本発明の燻蒸駆除方法では、折り畳まれた状態で収納されたシートを引き延ばしながら取り出す取出口が形成された非折り曲げ式のシート収納体に、折り畳まれたシートを収納して運搬し、前記シートを前記シート収納体の取出口から引き延ばしながら取り出して伐倒材を覆って、該伐倒材を薬剤により燻蒸処理することが好ましい。
また、折り畳まれた状態で収納されたシートを引き延ばしながら取り出す取出口が形成された非折り曲げ式のシート収納体に、折り畳まれたシートを収納し、前記シート収納体を、折り畳まれた状態で収納されたシートを引き延ばしながら取り出す取出口が形成された非折り曲げ式の肩掛けベルト付きのシート運搬具に収納して運搬し、前記シートを、前記シート収納体の取出口及び前記シート運搬具の取出口から引き延ばしながら取り出して伐倒材を覆って、該伐倒材を薬剤により燻蒸処理することが好ましい。
また、前記折り畳まれたシートは、ガゼット式に折り畳まれたシートであることが好ましい。
【０００９】
本発明のシート収納体は、折り畳まれたシートが収納される非折り曲げ式のシート収納体であって、折り畳まれた状態で収納されたシートを引き延ばしながら取り出す取出口が形成されていることを特徴とする。
【００１０】
本発明のシート収納体では、ガゼット式に折り畳まれたシートが収納されることが好ましい。
【００１１】
本発明のシート運搬具は、折り畳まれたシートが収納される非折り曲げ式の肩掛けベルト付きのシート運搬具であって、折り畳まれた状態で収納されたシートを引き延ばしながら取り出す取出口が形成されていることを特徴とする。
【００１２】
本発明のシート運搬具では、折り畳まれたシートが収納された前記シート収納体が収納されることが好ましい。
また、ガゼット式に折り畳まれたシートが収納されることが好ましい。
【発明の効果】
【００１３】
本発明の燻蒸駆除方法によれば、現場で簡便にシートを用いて燻蒸駆除を行うことができる。
本発明のシート収納体を用いれば、使用現場で簡便にシートを取り出して使用することができる。
また、本発明のシート運搬具を用いれば、使用現場で簡便にシートを取り出して使用することができる。
【図面の簡単な説明】
【００１４】
【図１】本発明のシート収納体の一例を示した平面図である。
【図２】図１のシート収納体のＡ−Ａ断面図である。
【図３】図１のシート収納体のＢ−Ｂ断面図である。
【図４】図２のシート収納体からシートを引き出す様子を示した断面図である。
【図５】折り畳まれたシートの一例を示した斜視図である。
【図６】折り畳まれたシートの他の例を示した斜視図である。
【図７】折り畳まれたシートの他の例を示した斜視図である。
【図８】伐倒材を燻蒸処理する様子を示した模式図である。
【図９】本発明のシート運搬具の一例を示した斜視図である。
【図１０】図９のシート運搬具のＣ−Ｃ断面図である。
【図１１】シートを収納したシート収納体を図１０のシート運搬具に収納した様子を示した断面図である。
【図１２】シート運搬具からシートを引き出す様子を示した断面図である。
【図１３】シート運搬具からシートを引き出す様子を示した断面図である。
【図１４】本発明のシート運搬具の他の例を示した斜視図である。
【図１５】本発明のシート運搬具の他の例を示した斜視図である。
【発明を実施するための形態】
【００１５】
＜シート収納体＞
以下、本発明のシート収納体の一例である、図１〜３に例示したシート収納体１０について説明する。
シート収納体１０は、折り畳まれたシート５０が収納される非折り曲げ式のシート収納体である。すなわち、シート収納体１０は、折り曲げられずに使用されるストレート型のシート収納体である。具体的には、シート収納体１０は、折り畳まれたシート５０が収納される収納部１２を有しており、収納部１２が折り曲げられることなく使用される。
この例のシート収納体１０では、収納部１２の上面に、折り畳まれた状態で収納されているシート５０を引き延ばしながら取り出す取出口１４が形成されている。
【００１６】
この例の収納部１２は、矩形のシート状基材１６上に折り畳まれたシート５０を設置した状態で、以下のようにシート状基材１６を折り畳んで固定することで形成されている。
具体的には、シート状基材１６上に折り畳まれたシート５０を設置した状態で、シート状基材１６の第１の端部１６ａ側と第２の端部１６ｂ側をシート５０側に折り返し、それら第１の端部１６ａと第２の端部１６ｂとをシート５０上で重ね合わせる。この例では、第１の端部１６ａを第２の端部１６ｂの上にして、第１の端部１６ａと第２の端部１６ｂとが平行になるように互いを重ね合わせる。
次いで、その状態において、重ね合わせた第１の端部１６ａと第２の端部１６ｂの両端側に位置する、第１の側端部１６ｃと第２の側端部１６ｄを折り返し、その折り返した第１の側端部１６ｃと第２の側端部１６ｄをテープ体１８ａ，１８ｂによって固定する。テープ体１８ａは、第１の側端部１６ｃに沿うように貼り付ける。テープ体１８ｂは、第２の側端部１６ｄに沿うように貼り付ける。
以上のようにすることで、テープ体１８ａとテープ体１８ｂの間において、重ね合わされたシート状基材１６の第１の端部１６ａと第２の端部１６ｂの間にスリット状の取出口１４が形成された収納部１２となる。
【００１７】
シート状基材１６としては、特に限定されず、例えば、ポリエチレンシート、ポリプロピレンシート、二軸延伸ポリエステルシート等が挙げられ、これらシートに、アルミ蒸着、シリカ蒸着等を施し、防湿性を高めたものでもよい。
テープ体１８ａ，１８ｂは、折り返した第１の側端部１６ｃと第２の側端部１６ｄを固定できるものであればよく、例えば、延伸ポリプロピレン（ＯＰＰ）テープ等が挙げられる。
【００１８】
収納部１２の形状は、この例では、取出口１４側から見たときに矩形状であるが、折り畳まれた状態のシート５０を収納できる範囲であれば矩形状には限定されない。
収納部１２の形状は、折り畳んだシート５０が型崩れし難いことから、折り畳んだシート５０の形状と同様の形状であることが好ましい。例えば、折り畳んだシート５０を上から見たときの形状が矩形状であれば、該折り畳んだシート５０を収納する収納部１２を上から見たときの形状も矩形状であることが好ましい。
【００１９】
収納部１２の大きさは、折り畳まれたシート５０を収納できる大きさであればよく、折り畳まれたシート５０の大きさに応じて適宜設定すればよい。
収納部１２の大きさは、収納部１２内にシート５０が収納された状態において過度なスペースが生じないように設定することが好ましい。これにより、収納部１２内に折り畳まれた状態で収納されたシート５０が型崩れし難くなる。
【００２０】
取出口１４は、運搬時等のシート５０を使用しない時にはテープ体で閉じられていてもよい。
シート収納体１０から折り畳まれた状態のシート５０を取り出す際には、取出口１４から収納部１２内に手を差し入れてシート５０を掴み、図４に示すように、該シート５０を引き延ばしつつ取出口１４から引き出す。
【００２１】
シート収納体１０に収納するシート５０を折り畳む態様は、取出口１４からシート５０を引き延ばしながら引き出せる範囲であれば特に限定されないが、シートを引き延ばしながら取り出しやすい点と、伐倒材をシートで覆うときに容易に拡げやすい点から、ガゼット式であることが好ましい。「シートをガゼット式に折り畳む」とは、シートの両方の側縁をそれぞれ中央部で揃えるように折り返し、さらに該シートにおける側縁と中央部の間の部分を内側に折り込むようにして折り畳むことを意味する。
具体例として、幅４ｍ×長さ３０ｍの帯状のシート５０を収納する場合を例にして説明する。
【００２２】
例えば、図５に例示したように、シート５０の長手方向に沿ってガゼット式に折り畳まれたものが、さらに長手方向に一定の間隔で蛇腹状に折り畳まれる態様が挙げられる。
図５に例示した折り畳まれた状態のシート５０では、帯状のシート５０における短手方向の第１の側縁５２と第２の側縁５４とが長手方向に全体にわたって折り返され、短手方向の中央部５６で揃えられている。また、第１の側縁５２と中央部５６の間を四等分する中間点５８ａ，５８ｂ，５８ｃと、第２の側縁５４と中央部５６の間を四等分する中間点５８ｄ，５８ｅ，５８ｆとが、それぞれ長手方向の全体にわたって内側に折り込まれ、短手方向の中央部５６で揃えられている。
このようなガゼット式に折り畳まれることで、折り畳まれた状態でのシート５０の幅ｄ１は、５０ｃｍ（８分の１）になっている。
【００２３】
また、この例では、このようなガゼット式に折り畳まれたシート５０が、さらに長手方向に一定の間隔で蛇腹状に折り畳まれている。ガゼット式に折り畳まれたシート５０を長手方向に蛇腹状に折り畳んだ状態において、長手方向に沿った長さｄ２は５０ｃｍとされている。
このように、この例では、幅４ｍ×長さ３０ｍの帯状のシート５０が、幅５０ｃｍ×長さ５０ｃｍとなるように折り畳まれている。
【００２４】
図５に例示したように折り畳まれたシート５０は、その長手方向が、シート収納体１０の取出口１４を形成するシート状基材１６の第１の端部１６ａと第２の端部１６ｂに対して垂直となるように、収納部１２内に収納されることが好ましい。これにより、取出口１４からシート５０を引き延ばしながら、形を崩さずに取り出すことが容易になる。
【００２５】
なお、シート５０を折り畳む形態は、図５に例示したものには限定されない。
例えば、図６に例示したようにガゼット式に折り畳まれたシート５０であってもよい。図６に例示した折り畳まれた状態のシート５０では、帯状のシート５０における短手方向の第１の側縁５２と第２の側縁５４とが長手方向に全体にわたって折り返され、短手方向の中央部５６で揃えられている。また、第１の側縁５２と中央部５６の間を二等分する中間点５８ｇと、第２の側縁５４と中央部５６の間を二等分する中間点５８ｈとが、それぞれ長手方向の全体にわたって内側に折り込まれ、短手方向の中央部５６で揃えられている。
【００２６】
また、図７に例示したようにガゼット式に折り畳まれたシート５０であってもよい。図７に例示した折り畳まれた状態のシート５０では、帯状のシート５０における短手方向の第１の側縁５２と第２の側縁５４とが長手方向に全体にわたって折り返され、短手方向の中央部５６で揃えられている。また、第１の側縁５２と中央部５６の間を三等分する中間点５８ｉ，５８ｊと、第２の側縁５４と中央部５６の間を三等分する中間点５８ｋ，５８ｌとが、それぞれ長手方向の全体にわたって内側に折り込まれ、短手方向の中央部５６で揃えられている。
【００２７】
本発明では、収納されるシートを折り畳む態様は、シートを引き延ばしながら取り出しやすい点から、図５〜７に例示したように、シートの長手方向に沿ってガゼット式に折り畳まれたものが、さらに長手方向に一定の間隔で蛇腹状に折り畳まれる態様が好ましい。また、長尺な帯状のシートであっても、処理現場での作業性を低下させずに非常にコンパクトに折り畳むことができ、シート収納体１０を小型化しやすい点から、図５に例示したような態様で折り畳むことが特に好ましい。
なお、シート収納体の取出口からシートを引き延ばしながら取り出せる範囲であれば、収納されるシートを折り畳む態様は、前記態様以外の態様であってもよい。具体的には、収納される際のシートの面積に応じて任意の幅方向寸法と長手方向寸法で帯状に断裁したシートを用意し、該シートをまず幅方向に折り畳み、次に長手方向に折り畳んだ態様であってもよい。
【００２８】
シート５０の種類は、特に限定されず、例えば、ナラ枯れ、マツ枯れ等で枯死した樹木を伐倒した伐倒材の燻蒸処理に用いるシート等が挙げられる。
燻蒸処理用のシートとしては、生分解性のシートが好ましい。生分解性のシートとしては、例えば、特開２００３−２３１８２０号公報、特開２００３−２８４４７８号公報、特開２００３−２９２６４１号公報、特開２００３−３２０６２０号公報、特開２００４−１０６９３号公報、特開２００５−７３５８１号公報、特開２００５−１０３８７２号公報、特開２００５−１５４４５６号公報、特開２００５−２８７４５８号公報、特開２００６−２１３８３０号公報、特開２００６−２４６７８６号公報等に記載のシートが挙げられる。
【００２９】
シート５０を収納する際は、例えば、前述したように、折り畳まれたシート５０を設置した状態でシート状基材１６を折り畳んで収納部１２を形成することで、シート５０を収納できる。
シート５０を使用する際は、使用現場において、シート収納体１０を取出口１４から収納部１２内に手を差し入れ、折り畳まれた状態のシート５０における最も取出口１４に近い部分を把持して、引き延ばしながら取出口１４からシート５０を引き出して使用する。シート収納体１０は、非折り曲げ式であることから、使用現場において折り曲げた状態から真っ直ぐな状態にする作業が不要である。そのため、シート収納体１０内のシートを簡便に取り出して使用することができる。
【００３０】
以上説明したように、本発明のシート収納体は非折り曲げ式であることから、使用現場において簡便にシートを取り出して使用することができる。
なお、本発明のシート収納体は、前記したシート収納体１０には限定されない。例えば、筒状のフィルムの上部及び下部をシールすることで形成した収納部に、刃物等でスリット状の切れ目を入れて取出口を形成したシート収納体であってもよい。
また、直方体、立方体等の箱状の収納部に取出口が形成されているシート収納体であってもよい。
また、収納部に、シートを引き出していない状態等において取出口を覆い隠すカバーが取り付けられているシート収納体であってもよい。
【００３１】
本発明のシート収納体では、収納部における取出口を形成する位置は、該取出口からシートを引き延ばしながら引き出せる範囲であれば特に限定されない。
また、取出口の形状は、スリット状には限定されず、円形状、矩形状等であってもよい。
また、取出し口の数は、１つには限定されず、２つ以上形成されていてもよい。
また、取出口には、ファスナ等の開閉手段が設けられていてもよい。
【００３２】
＜シート運搬具＞
以下、本発明のシート運搬具の一例である、図９に例示したシート運搬具２０について説明する。シート運搬具２０においては、シート運搬具２０を背負った状態における上側を「上」、背負った状態における下側を「下」とする。
【００３３】
シート運搬具２０は、折り畳まれたシート５０が収納される、肩掛けベルト付きのシート運搬具であり、非折り曲げ式である。すなわち、シート運搬具２０は、肩掛けベルトが取り付けられている、折り曲げられずに使用されるストレート型のシート運搬具である。
具体的には、シート運搬具２０は、折り畳まれたシート５０が収納される収納本体２２と、収納本体２２に取り付けられた２つの肩掛けベルト２４，２６と、を有しており、収納本体２２が折り曲げられることなく使用される。
【００３４】
肩掛けベルト２４，２６は、収納本体２２における背面部２８の外面２８ａに取り付けられている。これにより、シート運搬具２０においては、収納本体２２の背面部２８の外面２８ａが背負い面になっている。
収納本体２２には、折り畳まれた状態で収納されているシート５０を、引き延ばしながら取り出す２つの第１の取出口４０及び第２の取出口４２が形成されている。第１の取出口４０は、収納本体２２における背面部２８と反対側の正面部３０に形成されている。第２の取出口４２は、収納本体２２における上面部３２に形成されている。
【００３５】
この例の収納本体２２の形状は、直方体状である。なお、収納本体２２の形状は、折り畳まれたシート５０を収納でき、そのシート５０を第１の取出口４０又は第２の取出口４２から引き延ばしつつ引き出せるものであれば、直方体状には限定されない。例えば、収納本体２２の形状は、立方体状、袋状等であってもよい。
収納本体２２の大きさは、折り畳まれたシート５０を収納できる大きさであればよく、折り畳まれたシート５０の大きさに応じて適宜設定すればよい。
【００３６】
第１の取出口４０は、正面部３０における上側に、収納本体２２の幅方向に沿って長方形状に形成されている。第２の取出口４２は、収納本体２２の上面部３２における厚み方向の中央よりも背面部２８側に偏在するように、収納本体２２の幅方向に沿って長方形状に形成されている。
第１の取出口４０の形状は、収納本体２２内に折り畳まれた状態で収納されたシート５０を第１の取出口４０から引き延ばしつつ引き出せる形状であればよく、長方形状には限定されない。例えば、第１の取出口４０の形状は、正方形状、円形状等であってもよい。
第２の取出口４２の形状についても、第１の取出口４０の形状と同様である。
【００３７】
収納本体２２における第１の側部３４には、図９及び図１０に示すように、第１の側部３４の内面３４ａから突き出るように板状の第１の突条４４が設けられている。第１の突条４４は、第１の側部３４の厚み方向の中央に、収納本体２２の上下方向に沿って設けられている。
この例では、第１の突条４４は、収納本体２２の上面部３２と底面部３８から離間するように連続的に設けられている。なお、第１の突条４４は、上面部３２及び底面部３８の少なくとも一方に接するように設けられていてもよい。また、第１の突条４４は、収納本体２２の上下方向に断続的に設けられていてもよい。
【００３８】
同様に、収納本体２２における第２の側部３６には、図９に示すように、第２の側部３６の内面３６ａから突き出るように板状の第２の突条４６が設けられている。第２の突条４６は、収納本体２２の第２の側部３６における厚み方向の中央に、収納本体２２の上下方向に沿って設けられている。第１の突条４４と第２の突条４６とは、互いに対向する位置に設けられている。
この例では、第２の突条４６は、収納本体２２の上面部３２と底面部３８から離間するように連続的に設けられている。なお、第２の突条４６は、上面部３２及び底面部３８の少なくとも一方に接するように設けられていてもよい。また、第２の突条４６は、収納本体２２の上下方向に断続的に設けられていてもよい。
【００３９】
この例のシート運搬具２０では、例えば、図１１に示すように、２つの折り畳まれたシート５０が、それぞれ前記したシート収納体１０に収納された状態で、収納本体２２内に収納される。このとき、収納本体２２の正面部３０に近い側のシート収納体１０は、収納部１２の取出口１４が収納本体２２の正面部３０側に位置し、かつ取出口１４が収納本体２２の第１の取出口４０に向かって開くように収納される。また、収納本体２２の背面部２８に近い側のシート収納体１０は、収納部１２の取出口１４が収納本体２２の正面部３０側に位置し、かつ取出口１４が収納本体２２の第１の取出口４０及び第２の取出口４２に向かって開くように収納される。
また、収納本体２２内において、２つのシート収納体１０の間に、第１の突条４４と第２の突条４６が位置する。
【００４０】
シート運搬具２０に収納するシート収納体１０内に収納されるシート５０は、シートを引き延ばしながら取り出しやすい点から、ガゼット式に折り畳まれていることが好ましい。シートがガゼット式に折り畳まれる具体的な態様については、前述したとおりである。
【００４１】
例えば、収納本体２２における正面部３０に近い側に収納されたシート５０を使用する場合は、以下のようにする。第１の取出口４０からシート運搬具２０の収納本体２２内に手を差し入れ、さらに取出口１４からシート収納体１０内に手を差し入れて、折り畳まれた状態のシート５０における最も取出口１４に近い部分を把持する。そして、図１２に示すように、折り畳まれたシート５０を、引き延ばしながら取出口１４からシート収納体１０外に引き出し、さらに第１の取出口４０からシート運搬具２０の収納本体２２外に引き出す。
収納本体２２における正面部３０に近い側に収納されたシート５０を使い切った後は、収納本体２２の第１の取出口４０又は第２の取出口４２のいずれかを利用して、収納本体２２における背面部２８に近い側に収納されたシート５０を使用する。
【００４２】
収納本体２２における正面部３０側には、折り畳まれたシート５０が収納されたシート収納体１０を新たに補充することができる。このとき、収納本体２２の正面部３０側に補充されたシート収納体１０と背面部２８側のシート収納体１０の間には、第１の突条４４及び第２の突条４６が位置している。これにより、新たに補充された正面部３０側のシート収納体１０は、第１の突条４４及び第２の突条４６によって位置が規制されて、背面部２８側に移動しないようになっている。
このように、この例では、背面部２８側のシート収納体１０内のシート５０を使用している途中に、収納本体２２内の正面部３０側に新たにシート収納体１０を補充した際に、使用途中のシート収納体１０と補充されたシート収納体１０とが離間するようになっている。そのため、収納本体２２の正面部３０側に新たにシート収納体１０を補充しても、第２の取出口４２から２つのシート収納体１０の間に手を差し入れることで、図１３に示すように、背面部２８側の使用途中のシート５０を容易に継続使用することができる。
【００４３】
このように、折り畳まれたシート５０をシート収納体１０に収納した状態で、シート運搬具２０の収納本体２２に収納する態様は、一度に多量のシート５０を運搬して使用する場合でも収納本体２２内で使用途中のシート５０が型崩れし難い点、シート５０を補充しながら使用することが容易な点で好ましい。
【００４４】
なお、折り畳まれたシート５０をシート運搬具２０に収納する態様は、前記態様には限定されない。例えば、シート運搬具２０の収納本体２２内に、折り畳まれたシート５０を直接収納してもよい。この場合は、収納本体２２の形状及び大きさは、収納本体２２内に過度なスペースが生じないように設定することが好ましい。これにより、折り畳まれたシート５０をシート収納体１０に収納していなくても、収納本体２２内において折り畳まれた５０が型崩れし難くなる。
シート運搬具２０にシート５０を直接収納する場合も、シートを引き延ばしながら取り出しやすい点から、シート５０はガゼット式に折り畳まれていることが好ましい。
【００４５】
前述した従来のシート運搬具は、折り曲げ式であるため、シートを使用する際には必ずシート運搬具を使用現場に置き、収納本体を開いてからシートを引き出す必要がある。
これに対して、本発明のシート運搬具は、シートを容易に運搬できるうえ、非折り曲げ式であることから、使用場所において収納本体を開く作業が不要であるため、シートを容易に引き出して使用することができる。さらに、本発明のシート運搬具は、シートの運搬者がシート運搬具を背負った状態のままでもシートの使用が可能である点でも非常に優れている。
【００４６】
なお、本発明のシート運搬具は、前記したシート運搬具２０には限定されない。
例えば、本発明のシート運搬具は、収納本体２２の第１の側部３４及び第２の側部３６に、第１の突条４４及び第２の突条４６が設けられていないものであってもよい。
また、肩掛けベルトは２つには限定されず、１つであってもよい。
【００４７】
また、本発明のシート運搬具では、収納本体に形成する取出口の位置、形状及び大きさは、シートを引き延ばしながら取り出して使用することができる範囲であれば特に限定されない。
例えば、図１４に例示した、非折り曲げ式のシート運搬具２０Ａであってもよい。図１４における図９と同じ部分は同符号を付して説明を省略する。シート運搬具２０Ａは、収納本体２２の正面部３０の中央に円形状の取出口４０Ａが１つ形成され、第１の突条４４及び第２の突条４６が設けられてない以外は、シート運搬具２０と同じである。
【００４８】
また、図１５に例示した、非折り曲げ式のシート運搬具２０Ｂであってもよい。図１５における図９と同じ部分は同符号を付して説明を省略する。シート運搬具２０Ｂは、収納本体２２の上面部３２に、上面部３２の大部分が開口するように矩形状の取出口４２Ｂが１つ形成されている以外は、シート運搬具２０と同じである。
また、本発明のシート運搬具は、収納本体に、形成された取出口を覆い隠すカバーが取り付けられたものであってもよい。
また、本発明のシート運搬具では、取出口にファスナ等の開閉手段が設けられていてもよい。
【００４９】
＜燻蒸駆除方法＞
本発明の燻蒸駆除方法は、折り畳まれたシートを折り曲げずに運搬し、該シートを引き延ばして伐倒材を覆って、該伐倒材を薬剤により燻蒸処理する方法である。
シートを折り畳むとは、シートを折り返したときの折り返し部の両側のシート面同士が密着するように折り返していくことを意味する。また、シートを折り曲げるとは、折り畳まれたシート全体を折り返すことを意味し、通常その折り返し部の両側のシート面同士は、折り返し部側の少なくとも一部で密着しない。
【００５０】
以下、本発明の燻蒸駆除方法の一例を示して説明する。
本発明の燻蒸駆除方法としては、例えば、下記の方法（Ｘ）および方法（Ｙ）が挙げられる。
（Ｘ）シート収納体を用いる方法。
（Ｙ）シート運搬具を用いる方法。
【００５１】
［方法（Ｘ）］
方法（Ｘ）の一例として、前記したシート収納体１０を用いる場合について説明する。
前記したシート収納体１０では、折り畳まれたシート５０を収納した状態で使用現場まで運搬し、使用現場において収納部１２内のシート５０を、取出口１４から引き延ばしつつ取り出して使用する。具体的には、例えば、以下の工程（ｘ１）〜（ｘ４）を有する方法で燻蒸処理を行う。
【００５２】
（ｘ１）シート収納体１０に折り畳まれたシート５０を収納して運搬する。
（ｘ２）シート収納体１０の取出口１４からシート５０を引き延ばしながら取り出し、必要に応じて切断して伐倒材を覆う。
（ｘ３）引き出したシート５０に未使用部分がある場合は、必要に応じて、該未使用部分をシート収納体１０に再収納する。
（ｘ４）シート５０で覆われた伐倒材を薬剤により燻蒸処理する。
【００５３】
工程（ｘ１）において、シート５０を収納する方法は特に限定されず、例えば、前記したように、折り畳まれたシート５０を設置した状態でシート状基材１６を折り畳んで収納部１２を形成することで、シート収納体１０にシート５０を収納する方法が挙げられる。
また、取出口１４が充分に大きい場合には、予め作製したシート収納体１０の取出口１４から、折り畳まれたシート５０を収納部１２内に収納してもよい。また、シート収納体に取出口以外に収納口を設ける場合には、該収納口から折り畳まれたシートを収納部内に収納してもよい。
シート収納体１０内に収納するシート５０は、引き延ばして使用することが容易な点から、ガゼット式に折り畳まれていることが好ましい。
【００５４】
工程（ｘ２）では、例えば、シート収納体１０を取出口１４が伐倒材側を向くように置く。そして、取出口１４から収納部１２内に手を差し入れ、折り畳まれた状態のシート５０における最も取出口１４に近い部分を把持して、引き延ばしながら取出口１４からシート５０を引き出す。シート収納体１０の取出口１４を伐倒材側に向けることで、取出口１４から引き出したシート５０をそのまま伐倒材に被せることが容易になる。
また、前記したような帯状の長いシート５０の一部だけを使用する場合は、取出口１４から引き出したシート５０を使用する大きさに適宜切断して、伐倒材を覆う。
【００５５】
例えば、シート５０の折り畳まれた態様が、図５〜７に例示したような態様である場合、図８に示すように、取出口１４から引き出したシート５０をそのまま伐倒材Ｗの軸方向の中央部分に、伐倒材Ｗの軸方向と直行するように被せる。次いで、収納部１２から引き出したシート５０を鉈やカッター等で切断することにより、伐倒材Ｗを覆うのに必要な部分に切り取る。そして、シート５０の切り取った部分が伐倒材Ｗに被せられた状態で、ガゼット式に折り畳まれているシート５０を短手方向に広げることにより、シート５０で伐倒材Ｗを覆う。
【００５６】
工程（ｘ３）では、引き出したシート５０の一部を燻蒸処理に使用した場合等、引き出したシート５０に未使用部分がある場合は、必要に応じて、該未使用部分を取出口１４から収納部１２内に再収納する。工程（ｘ３）は、工程（ｘ４）の前に行ってもよく、工程（ｘ４）の後に行ってもよい。
例えば、引き出したシート５０を全て使用する場合は、工程（ｘ３）は行わない。また、一群の伐倒材を燻蒸処理した後に続けて別の伐倒材の燻蒸処理を行う場合等、引き出したシート５０の未使用部分を再収納する必要がない場合は、工程（ｘ３）を行わなくてもよい。
【００５７】
工程（ｘ４）では、シート５０に覆われた状態の伐倒材に薬剤を付与し、燻蒸処理を行う。
薬剤を伐倒材に付与する方法は、害虫を充分に駆除できる方法であれば特に限定されない。薬剤が拡散することを防ぎやすい点から、伐倒材を覆ったシート５０を部分的にめくり上げてその部分の伐倒材の上部に薬剤を撒いた後、直ぐにシート５０で該伐倒材を密封する方法が好ましい。
【００５８】
伐倒材を密封する方法は特に限定されず、例えば、伐倒材を覆ったシート５０の裾の部分に土等を被せる方法等が挙げられる。シート５０として生分解性のシートを用いている場合には、該シートの回収等の後処理は必要ない。
燻蒸処理に用いる薬剤としては、特に限定されず、例えば、松くい虫の燻蒸処理であれば、ヤシマＮＣＳ（商品名、住化グリーン（株）製）等が挙げられる。
【００５９】
方法（Ｘ）では、折り畳まれたシートをシート収納体に収納した状態で、さらに折り曲げることなく運搬した後にシートを使用する。そのため、使用現場において、折り曲げた状態のシート収納体を開いてシートを引き出せる状態にする作業が必要ないことから、簡便に燻蒸駆除が行える。
なお、方法（Ｘ）は、前記したシート収納体１０を用いる方法には限定されない。例えば、前記した他の態様のシート収納体を用いる方法であってもよい。
【００６０】
［方法（Ｙ）］
前記したシート運搬具２０では、折り畳まれたシート５０を収納した状態で使用現場まで運搬し、使用現場において、第１の取出口４０又は第２の取出口４２から収納本体２２内のシート５０を引き延ばしながら取り出して使用する。具体的には、例えば、以下の工程（ｙ１）〜（ｙ４）を有する方法で燻蒸処理を行う。
【００６１】
（ｙ１）シート運搬具２０に折り畳まれたシート５０を収納して運搬する。
（ｙ２）シート運搬具２０の第１の取出口４０又は第２の取出口４２から、シート５０を引き延ばしながら取り出し、必要に応じて切断して伐倒材を覆う。
（ｙ３）引き出したシート５０に未使用部分がある場合は、必要に応じて、該未使用部分をシート運搬具２０に再収納する。
（ｙ４）シート５０で覆われた伐倒材を薬剤により燻蒸処理する。
【００６２】
工程（ｙ１）では、例えば、シート運搬具２０の収納本体２２内に、シート５０が収納されたシート収納体１０を収納する。シート収納体１０内に収納するシート５０は、引き延ばして使用することが容易な点から、ガゼット式に折り畳まれていることが好ましい。
【００６３】
シート５０が収納されたシート収納体１０を収納本体２２内に収納する方法は特に限定されない。例えば、第１の取出口４０又は第２の取出口４２からシート収納体１０を収納本体２２内に収納してもよい。また、収納本体２２に別途収納口が設けられている場合は、該収納口からシート収納体１０を収納してもよい。シート運搬具２０の収納本体２２内に、折り畳まれたシート５０をそのまま収納する場合も同様である。
シート運搬具２０では、肩掛けベルト２４，２６を利用して背負うことができるため、折り畳まれたシート５０を容易に運搬できる。
【００６４】
工程（ｙ２）では、例えば、処理現場において、上面部３２が伐倒材側を向くように、背面部２８を下にしてシート運搬具２０を置く。これにより、シート運搬具２０の第１の取出口４０と第２の取出口４２が伐倒材側を向く。また、前記したように、折り畳まれたシート５０をシート収納体１０に収納している状態では、収納本体２２内におけるシート収納体１０の取出口１４が伐倒材側に向く。
【００６５】
次いで、前述したように第１の取出口４０又は第２の取出口４２から、シート収納体１０に収納されたシート５０を引き出す。収納本体２２の上面部３２を伐倒材側に向けることで、収納本体２２内のシート収納体１０の取出口１４が伐倒材側を向くため、シート収納体１０の取出口１４から第１の取出口４０又は第２の取出口４２を通じて引き出したシート５０をそのまま伐倒材に被せることが容易になる。
また、前記したような帯状の長いシート５０の一部だけを使用する場合は、第１の取出口４０又は第２の取出口４２から引き出したシート５０を使用する大きさに適宜切断して、伐倒材を覆う。
【００６６】
また、シート運搬具２０は非折り畳み式であるため、折り曲げた状態から真っ直ぐな状態にする作業が必要ない。そのため、シート運搬具２０を用いる場合は、必ずしも背負ったシート運搬具２０を降ろして処理現場に置かなくてよい。
例えば、工程（ｙ２）において、シートの運搬者がシート運搬具２０を背負った状態のまま、別の作業者がそのシート運搬具２０からシート５０を引き出して使用することもできる。このようにすることで、シート５０を用いた処理がさらに容易になる。
【００６７】
工程（ｙ３）は、前記した工程（ｘ３）と同様に行える。工程（ｙ３）は、工程（ｙ４）の前に行ってもよく、工程（ｘ４）の後に行ってもよい。
引き出したシート５０を全て使用する場合は、工程（ｙ３）は行わない。また、一群の伐倒材を燻蒸処理した後に続けて別の伐倒材の燻蒸処理を行う場合等、引き出したシート５０の未使用部分を再収納する必要がない場合は、工程（ｙ３）を行わなくてもよい。
工程（ｙ４）は、前記した工程（ｘ４）と同様に行える。
【００６８】
方法（Ｙ）では、折り畳まれたシートを収納した状態で、シート運搬具をさらに折り曲げることなく運搬した後にシートを使用する。そのため、使用現場において、折り曲げた状態からシート運搬具を開いてシートを引き出せる状態にする作業が必要ないことから、簡便に燻蒸駆除が行える。
なお、本発明の方法（Ｙ）は、前記したシート収納体１０及びシート運搬具２０を用いる方法には限定されない。例えば、シート運搬具２０のみを用い、折り畳まれたシートを直接収納して運搬した後に該シートを使用する方法であってもよい。
また、前記した他の態様のシート運搬具を用いる方法であってもよい。
【００６９】
以上説明した本発明の燻蒸駆除方法にあっては、前記したように、使用現場において、折り曲げた状態からシートを開いて該シートを使用できる状態にする作業が必要ないことから、簡便に燻蒸処理が行える。
なお、本発明の燻蒸駆除方法は、前記した方法（Ｘ）及び方法（Ｙ）には限定されない。例えば、シート収納体もシート運搬具も用いずに、折り畳まれたシートをそのままの状態で運搬した後に、該シートを引き延ばしながら伐倒材を覆って燻蒸処理を行う方法であってもよい。該方法でも、折り曲げられた状態のシートを開いて、シートを引き延ばせる状態にする作業が必要ないため、簡便に燻蒸処理が行える。
本発明では、シートの運搬が容易で、シートが型崩れし難く燻蒸処理がより容易になる点から、方法（Ｘ）又は方法（Ｙ）が好ましく、方法（Ｙ）がより好ましい。
【符号の説明】
【００７０】
１０  シート収納体
１２  収納部
１４  取出口
２０  シート運搬具
２２  収納本体
２４，２６  肩掛けベルト
４０  第１の取出口
４２  第２の取出口
５０  シート
【図１】
2015047131.tif 000003
【図２】
2015047131.tif 000004
【図３】
2015047131.tif 000005
【図４】
2015047131.tif 000006
【図５】
2015047131.tif 000007
【図６】
2015047131.tif 000008
【図７】
2015047131.tif 000009
【図８】
2015047131.tif 000010
【図９】
2015047131.tif 000011
【図１０】
2015047131.tif 000012
【図１１】
2015047131.tif 000013
【図１２】
2015047131.tif 000014
【図１３】
2015047131.tif 000015
【図１４】
2015047131.tif 000016
【図１５】
2015047131.tif 000017